【事件の表示】
　特願２０００−２６７６６２「記録／再生装置の光ピックアップ移送駆動制御装置」拒絶査定不服審判事件〔平成１４年３月１５日出願公開、特開２００２−　７４７０１〕について、次のとおり審決する。
【結　論】
　本件審判の請求は、成り立たない。
【理　由】
Ｉ．　手続の経緯
　本件審判の請求に係る特許願（以下、「本願」という）は、平成12年９月４日の出願であって、平成18年11月30付けで通知した拒絶理由に対して平成19年２月２日付けで手続補正がされたが、平成19年５月23日付けで、上記拒絶理由により拒絶すべき旨の査定がされ、これに対して、同年６月28日に拒絶査定不服審判が請求され、同日付で明細書についての手続補正がされ、審判請求の日から３０日以内の同年７月17日付けで明細書全文についての手続補正がされたものである。
　その後、平成21年12月11日付けで、前置報告書を利用した審尋をしたところ、平成22年２月９日付けで回答書が提出されたものである。
　
　
II．　平成19年６月28日付け手続補正についての却下の決定
　
　〔補正却下の決定の結論〕
　平成19年６月28日付け手続補正を却下する。
　
　〔理　由〕
１．補正の内容及び目的
　平成19年６月28日付け手続補正（以下「本件補正１」という。）は、特許請求の範囲について、
（１）補正前、
「【請求項１】　ディスク状情報記録媒体に対して情報の記録／再生を行うため、光源から出射された光ビームを集光して光スポットとしてディスク状情報記録媒体に照射する対物レンズと、対物レンズをディスク半径方向へ移動駆動する対物レンズアクチュエータと、前記光源と前記対物レンズアクチュエータとを搭載した光ピックアップと、光ピックアップをディスク半径方向へ移送する光ピックアップ送り機構と、光ピックアップ送り機構を駆動する動力源と、動力源の駆動回路とを備えた記録／再生装置に用いられる光ピックアップ移送駆動制御方法において、
　前記光源から出射された光ビームの光軸と前記対物レンズの光軸とのずれ量を検出し、検出された光軸ずれ量が制御用エラーの発生量に応じて設定された閾値以上になった場合、前記駆動回路から一定電圧かつ一定幅の制御用パルス信号を発生させて、前記光ピックアップ送り機構の移送を制動することを特徴とする記録／再生装置の光ピックアップ移送駆動制御方法。
【請求項２】　検出された光軸ずれ量が前記閾値を超えたときに前記制御用パルス信号を発生し、光軸ずれ量がゼロになるまで制御用パルス信号を発生し続けるように制御することを特徴とする請求項１記載の記録／再生装置の光ピックアップ移送駆動制御方法。
【請求項３】　前記閾値として、光軸ずれ量が最大値に対応する第１の閾値と、この第１の閾値に対して光軸ずれ量が小さくかつ正負逆の第２の閾値とを設定し、検出された光軸ずれ量が前記第１の閾値を超えたときに前記制御用パルス信号を発生し、光軸ずれ量がゼロになり、さらに前記第２の閾値に至るまで制御用パルス信号を発生し続けるように制御することを特徴とする請求項１記載の記録／再生装置の光ピックアップ移送駆動制御方法。
【請求項４】　前記光スポットをメイン光スポットと少なくとも２つのサブ光スポットとし、各光スポットから検出されるトラッキング制御信号におけるメイン光スポットとサブ光スポットとのプッシュプル信号の和に基づいて光軸ずれ量を検出することを特徴とする請求項１，２または３記載の記録／再生装置の光ピックアップ移送駆動制御方法。
【請求項５】　ディスク状情報記録媒体に対して情報の記録／再生を行うため、光源から出射された光ビームを集光して光スポットとしてディスク状情報記録媒体に照射する対物レンズと、対物レンズをディスク半径方向へ移動駆動する対物レンズアクチュエータと、前記光源と前記対物レンズアクチュエータとを搭載した光ピックアップと、光ピックアップをディスク半径方向へ移送する光ピックアップ送り機構と、光ピックアップ送り機構を駆動する動力源と、動力源の駆動回路とを備えた記録／再生装置の光ピックアップ移送駆動制御装置において、
　前記光源から出射された光ビームの光軸と前記対物レンズの光軸とのずれ量を検出する光軸ずれ検出手段と、光軸ずれ検出手段から得られた光軸ずれ量が制御用エラーの発生量に応じて設定された閾値以上になった場合、前記駆動回路から一定電圧かつ一定幅の制御用パルス信号を発生させて、前記光ピックアップ送り機構の移送を制動する制御手段を備えたことを特徴とする記録／再生装置の光ピックアップ移送駆動制御装置。
【請求項６】　前記制御用パルス信号の電圧を、パルス駆動時にトラッキングエラー信号に変動を生じさせない値に設定したことを特徴とする請求項５記載の記録／再生装置の光ピックアップ移送駆動制御装置。
【請求項７】　前記制御用パルス信号の電圧を、パルス駆動時にトラッキングエラー信号が変動しても、トラッキングサーボが安定して動作するまでの値に設定したことを特徴とする請求項５記載の記録／再生装置の光ピックアップ移送駆動制御装置。
【請求項８】　前記制御用パルス信号の電圧を、光ピックアップの重量が略１０ｇ〜略２０ｇである場合に略１Ｖ〜略３Ｖに設定したことを特徴とする請求項５，６または７記載の記録／再生装置の光ピックアップ移送駆動制御装置。
【請求項９】　前記制御用パルス信号のパルス幅を、パルス駆動時にトラッキングエラー信号に変動を生じさせない値に設定したことを特徴とする請求項５記載の記録／再生装置の光ピックアップ移送駆動制御装置。
【請求項１０】　前記制御用パルス信号のパルス幅を、パルス駆動時にトラッキングエラー信号が変動しても、トラッキングサーボが安定して動作するまでの値に設定したことを特徴とする請求項５記載の記録／再生装置の光ピックアップ移送駆動制御装置。
【請求項１１】　前記制御用パルス信号のパルス幅を、光ピックアップの重量が略１０ｇ〜略２０ｇである場合に略０．３ｍ秒〜略０．８ｍ秒に設定したことを特徴とする請求項５，９または１０記載の記録／再生装置の光ピックアップ移送駆動制御装置。
【請求項１２】　前記光軸ずれ検出手段が、対物レンズアクチュエータの駆動信号に基づいて光軸ずれ量を検出することを特徴とする請求項５記載の記録／再生装置の光ピックアップ移送駆動制御装置。
【請求項１３】　前記光軸ずれ検出手段が、光スポットをメイン光スポットと少なくとも２つのサブ光スポットとし、各光スポットから検出されるトラッキング制御信号におけるメイン光スポットとサブ光スポットとのプッシュプル信号の和に基づいて光軸ずれ量を検出することを特徴とする請求項５記載の記録／再生装置の光ピックアップ移送駆動制御装置。
【請求項１４】　ディスク状情報記録媒体に対して情報の記録／再生を行うため、光源から出射された光ビームを集光して光スポットとしてディスク状情報記録媒体に照射する対物レンズと、対物レンズをディスク半径方向へ移動駆動する対物レンズアクチュエータと、前記光源と前記対物レンズアクチュエータとを搭載した光ピックアップと、光ピックアップをディスク半径方向へ移送する光ピックアップ送り機構と、光ピックアップ送り機構を駆動する動力源と、動力源の駆動回路とを備え、前記駆動回路から制御用パルス信号を発生させて前記光ピックアップの移送を制動する記録／再生装置に用いられる光ピックアップ移送駆動制御方法において、
　メモリ手段に記憶している制御用パルス情報を読み出して制御用パルス信号を発生させて、前記光源から出射された光ビームの光軸と前記対物レンズの光軸とのずれ量を光軸ずれ検出手段により検出し、検出された光軸ずれ量に対応した制御用パルス情報をメモリ手段から読み出して、前記駆動回路から制御用パルス信号を発生させることにより前記光ピックアップ送り機構を駆動させることによって前記光軸ずれ検出手段により光軸ずれ量を検出し、その光軸ずれ量に基づいて制御用パルス信号の１パルス当たりの光ピックアップの移送量を検知し、この検知結果に基づいて、制御用パルス信号に対応する光ピックアップの移送量が一定になるように、前記メモリ手段から読み出された制御用パルス信号のパルス波形を修正することを特徴とする記録／再生装置の光ピックアップ移送駆動制御方法。
【請求項１５】　前記制御用パルス信号のパルス波形を、パルス波形の電圧および／または幅を微増減調整して修正することを特徴とする請求項１４記載の記録／再生装置の光ピックアップ移送駆動制御方法。
【請求項１６】　前記制御用パルス信号のパルス波形は、一定電圧かつ一定幅の形状であることを特徴とする請求項１４または１５記載の記録／再生装置の光ピックアップ移送駆動制御方法。
【請求項１７】　前記制御用パルス信号のパルス波形の修正を、記録／再生装置において情報記録／再生動作を行う前、あるいは記録／再生装置に情報記録媒体が装着されたときに実行することを特徴とする請求項１４記載の記録／再生装置の光ピックアップ移送駆動制御方法。
【請求項１８】　ディスク状情報記録媒体に対して情報の記録／再生を行うため、光源から出射された光ビームを集光して光スポットとしてディスク状情報記録媒体に照射する対物レンズと、対物レンズをディスク半径方向へ移動駆動する対物レンズアクチュエータと、前記光源と前記対物レンズアクチュエータとを搭載した光ピックアップと、光ピックアップをディスク半径方向へ移送する光ピックアップ送り機構と、光ピックアップ送り機構を駆動する動力源と、動力源の駆動回路とを備え、前記駆動回路から制御用パルス信号を発生させて前記光ピックアップの移送を制動する記録／再生装置の光ピックアップの移送駆動制御装置において、
　制御用パルス情報を記憶するメモリ手段と、前記光源から出射された光ビームの光軸と前記対物レンズの光軸とのずれ量を検出する光軸ずれ検出手段と、前記メモリ手段から制御用パルス情報を読み出して、前記駆動回路から制御用パルス信号を発生させることにより前記光ピックアップ送り機構を駆動させることによって前記光軸ずれ検出手段により光軸ずれ量を検出し、その光軸ずれ量に基づいて制御用パルス信号の１パルス当たりの光ピックアップの移送量を検知し、この検知結果に基づいて、制御用パルス信号に対応する光ピックアップの移送量が一定になるように、前記メモリ手段から読み出された制御用パルス信号のパルス波形を修正する制御手段とを備えたことを特徴とする記録／再生装置の光ピックアップ移送駆動制御装置。
【請求項１９】　前記制御手段により、制御用パルス信号のパルス波形の修正を、パルス波形の電圧および／または幅を微増減調整して行うことを特徴とする請求項１８記載の記録／再生装置の光ピックアップ移送駆動制御装置。
【請求項２０】　前記制御用パルス信号のパルス波形を、一定電圧かつ一定幅の形状にしたことを特徴とする請求項１８または１９記載の記録／再生装置の光ピックアップ移送駆動制御装置。
【請求項２１】　前記光軸ずれ検出手段が、対物レンズアクチュエータのトラッキング制御中に得られるトラッキングエラー信号に基づいて光軸ずれ量を検出することを特徴とする請求項１８記載の記録／再生装置の光ピックアップ移送駆動制御装置。
【請求項２２】　前記制御用パルス信号の電圧を、パルス駆動時にトラッキングエラー信号に変動を生じさせない値に設定したことを特徴とする請求項１８記載の記録／再生装置の光ピックアップ移送駆動制御装置。
【請求項２３】　前記制御用パルス信号のパルス幅を、パルス駆動時にトラッキングエラー信号に変動を生じさせない値に設定したことを特徴とする請求項１８記載の記録／再生装置の光ピックアップ移送駆動制御装置。
【請求項２４】　前記光軸ずれ検出手段として、前記光ピックアップ送り機構による光ピックアップの送り量を検出するエンコーダを用いたことを特徴とする請求項１８記載の記録／再生装置の光ピックアップ移送駆動制御装置。
【請求項２５】　前記制御用パルス信号の電圧を、前記エンコーダにより得られる光ピックアップの送り量の検出値がゼロとならない値に設定したことを特徴とする請求項１８または２４記載の記録／再生装置の光ピックアップ移送駆動制御装置。
【請求項２６】　前記制御用パルス信号のパルス幅を、前記エンコーダにより得られる光ピックアップの送り量の検出値がゼロとならない値に設定したことを特徴とする請求項１８または２４記載の記録／再生装置の光ピックアップ移送駆動制御装置。
【請求項２７】　前記制御手段による制御用パルス信号のパルス波形の修正によって、パルス波形の電圧を、パルス駆動時にトラッキングエラー信号に変動を生じさせない値の上限値と、前記エンコーダにより得られる光ピックアップの送り量の検出値がゼロとならない値の下限値との間に設定することを特徴とする請求項１８または２４記載の記録／再生装置の光ピックアップ移送駆動制御装置。
【請求項２８】　前記制御手段による制御用パルス信号のパルス波形の修正によって、パルス波形の電圧を、パルス駆動時にトラッキングエラー信号に変動を生じさせない値の上限値と、前記エンコーダにより得られる光ピックアップの送り量の検出値がゼロとならない値の下限値とを加算して、略１／２の値に設定することを特徴とする請求項１８または２４記載の記録／再生装置の光ピックアップ移送駆動制御装置。
【請求項２９】　前記制御手段による制御用パルス信号のパルス波形の修正によって、パルス波形のパルス幅を、パルス駆動時にトラッキングエラー信号に変動を生じさせない値の上限値と、前記エンコーダにより得られる光ピックアップの送り量の検出値がゼロとならない値の下限値との間に設定することを特徴とする請求項１８または２４記載の記録／再生装置の光ピックアップ移送駆動制御装置。
【請求項３０】　前記制御手段による制御用パルス信号のパルス波形の修正によって、パルス波形のパルス幅を、パルス駆動時にトラッキングエラー信号に変動を生じさせない値の上限値と、前記エンコーダにより得られる光ピックアップの送り量の検出値がゼロとならない値の下限値とを加算して、略１／２の値に設定することを特徴とする請求項１８または２４記載の記録／再生装置の光ピックアップ移送駆動制御装置。」
とあったものを、
　
（２）補正後、
「【請求項１】　光ディスクに対して情報の記録／再生を行うため、光源から出射された光ビームを集光して光スポットとして前記光ディスクに照射する対物レンズと、該対物レンズをディスク半径方向へ移動駆動する対物レンズアクチュエータと、前記光源と前記対物レンズアクチュエータとを搭載した光ピックアップと、該光ピックアップをディスク半径方向へ移送する光ピックアップ送り機構と、該光ピックアップ送り機構を駆動する動力源と、該動力源の駆動回路とを備えた記録／再生装置の光ピックアップ移送駆動制御装置おいて、
　前記
光ディスクに対してトラッキングサーボがオンの状態で
　前記光軸ずれ検出手段により、前記対物レンズアクチュエータの駆動信号に基づいて光軸ずれ量を検出することを特徴とする記録／再生装置の光ピックアップ移送駆動制御装置。
【請求項２】　前記制御用パルス信号の電圧を、パルス駆動時にトラッキングエラー信号に変動を生じさせない値に設定したことを特徴とする請求項１記載の記録／再生装置の光ピックアップ移送駆動制御装置。
【請求項３】　前記制御用パルス信号の電圧を、パルス駆動時にトラッキングエラー信号が変動しても、トラッキングサーボが安定して動作するまでの値に設定したことを特徴とする請求項１記載の記録／再生装置の光ピックアップ移送駆動制御装置。
【請求項４】　前記制御用パルス信号の電圧を、光ピックアップの重量が略１０ｇ〜略２０ｇである場合に略１Ｖ〜略３Ｖに設定したことを特徴とする請求項１，２または３記載の記録／再生装置の光ピックアップ移送駆動制御装置。
【請求項５】　前記制御用パルス信号のパルス幅を、パルス駆動時にトラッキングエラー信号に変動を生じさせない値に設定したことを特徴とする請求項１記載の記録／再生装置の光ピックアップ移送駆動制御装置。
【請求項６】　前記制御用パルス信号のパルス幅を、パルス駆動時にトラッキングエラー信号が変動しても、トラッキングサーボが安定して動作するまでの値に設定したことを特徴とする請求項１記載の記録／再生装置の光ピックアップ移送駆動制御装置。
【請求項７】　前記制御用パルス信号のパルス幅を、光ピックアップの重量が略１０ｇ〜略２０ｇである場合に略０．３ｍ秒〜略０．８ｍ秒に設定したことを特徴とする請求項１，５または６記載の記録／再生装置の光ピックアップ移送駆動制御装置。」
としようとするものである。
　
　補正前後の特許請求の範囲を比較すると、補正後の請求項２ないし７が、各請求項において引用する請求項番号を除き、補正前の請求項６ないし１１と同一の記載であり、補正後の請求項１が、「ディスク状記録媒体」を「光ディスク」と限定された他は、補正前の請求項５に、「光ディスクに対してトラッキングサーボがオンの状態で」「光軸ずれ検出手段により、前記対物レンズアクチュエータの駆動信号に基づいて光軸ずれ量を検出する」との特定事項を加えたものに相当することから、補正前の請求項１〜４、１２〜３０を削除し、補正前の請求項５に限定を加えて新たな請求項１とし、補正前の請求項６〜１１を新たな請求項２〜７とするものと認められるから、本件補正は、平成18年法律第55号改正附則第３条第１項により、なお従前の例によるとされる同法における改正前の特許法第17条の２第４項第１号及び第２号に掲げる事項を目的とするものに該当する。
　
　そこで、本件補正後の特許請求の範囲に記載されている事項により特定される発明が、特許出願の際独立して特許を受けることができるものであるか（平成18年法律第55号改正附則第３条第１項によりなお従前の例によるとされる同法による改正前の特許法第17条の２第５項において準用する同法第126条第５項の規定に適合するか）否かを補正後の請求項１に記載された発明について検討する。
　
３．補正後発明
　補正後の請求項１に係る発明（以下、「補正後発明」という。）は、前記１．（２）に、補正後の【請求項１】として記載したとおりのものである。
　
４．刊行物及びその記載
　原査定の拒絶の理由に引用された特開昭58-169343号公報（昭和58年10月５日公開、以下、「刊行物」という。）には、ディジタル・オーディオディスクプレーヤに関する発明について、以下の記載がある。なお、下線は当審が付した。
　
（ア）「２．特許請求の範囲
（１）
トラッキングのずれを検出する複数個の受光素子と各受光素子の受光方向を微調可変する微調部とを有する光学ピックアップと、前記各受光素子の出力差によって前記光学ピックアップのトラッキングずれ量に応じたトラッキングサーボ電圧を発生しかつ、これによって前記微調部を制御するトラッキング微調系と、前記トラッキングサーボ電圧を監視することによってあらかじめ定めた前記微調部の制御限界に近ずいたことを検知するとともに、前記光学ピックアップの送りを行なうピックアップモータを前記微調部の調整範囲内で駆動するトラッキング粗調系とを有するディジタル・オーディオディスクプレーヤ
　
（イ）「本発明は、ディジタル・オーディオディスクプレーヤに関し、特に光学ピックアップの送りモータに関するものである。
　
ディジタル・オーディオディスクプレーヤは、オーディオ信号および同期信号等をディジタル化したものを線速度一定として光学的に高密度で記録したディスクを再生する
　
（ウ）「そして、従来一般に用いられているディジタル・オーディオディスクプレーヤに於いては、
光学ピックアップの受光部に４個の受光素子を放射状に配置し、この４個の受光素子の出力差からトラッキングずれを検出するトラッキング検出部を設け、このトラッキング検出部の出力を用いて光学ピックアップに設けられているムービングコイルを駆動する微調整系を備えることによってトラッキングずれの微調を行ない、このトラッキングのすれ量がムービングコイルによる微調の限界値に近ずくとピックアップモータを一定時間駆動させる粗調整系を設けて光学ピックアップの位置をシフトさせ
　しかしながら、上記構成に於いては、光学ピックアップの送りモータが駆動されるとトラッキング検出部の出力が変動し、これに伴ってレンズ駆動部が大きく変動したり、あるいは光学ピックアップの早送り停止時にトラッキングミスが生ずる等の問題を有している。」（第１頁右下欄第１８行〜第２頁左上欄第１６行）
　
（エ）「従って、本発明によるディジタル・オーディオディスクプレーヤは、常に確実なトラッキングが得られるディジタル・オーディオディスクプレーヤを提供することである。
　このような目的を達成するために本発明は、
光学ピックアップの光学系を微調整するトラッキングサーボ電圧が第１基準電圧を越えて上昇した時に出力を発生する第１コンパレータと、トラッキングサーボ電圧が第２基準電圧を越えて下降した時に出力を発生する第２コンパレータとを設け、第２コンパレータの出力で発振を開始するとともに第１コンパレータの出力で発振を停止するマルチバイブレータの出力を用いて送りモータを駆動する
　以下、図面を用いて本発明によるディジタル・オーディオディスクプレーヤを詳細に説明する。
　第３図は本発明によるディジタル・オーディオディスクプレーヤの一実施例を示すトラッキング制御系の回路図であって、第１図と同一部分は同記号を用いて示してある。同図に於いて６ａ、６ｂはトラッキングサーボ電圧ＴＳを負極および正極入力とする第１、第２コンパレータであって、第１コンパレータ６ａは送りモータ５の動作を停止したいトラッキングサーボ電圧を第１基準電圧ＶＲ１として正極入力しており、第２コンパレータ６ｂは送りモータ５の動作を開始させたいトラッキングサーボ電圧を第２基準電圧ＶＲ２を正極入力としている。従って、この第１、第２コンパレータ６ａ、６ｂは第１基準電圧ＶＲ１を上限とするとともに第２基準電圧ＶＲ２を下限とするウインドウコンパレータを構成していることになる。７はＲ−Ｓタイプのフリップフロップ回路であって、第１コンパレータ６ａをリセット入力とするとともに、第２コンパレータ６ｂの出力をセット入力としている。
　８はマルチバイブレータ等を用いた発振回路であって、ゲート端子Ｇにフリップフロップ回路ＦＦのセット出力Ｑが供給されている期間においてのみパルス状の発振出力を出力単ＯＵＴからモータドライブアンプ４に供給する。
　このように構成された回路に於いて、図示しない光学ピックアップの微調整部を駆動制御するトラッキングサーボ電圧ＴＳが、第４図に示すように徐々に低下して時点ｔ１に於いて第２基準電圧ＶＲ２に達すると、第２コンパレータ６ｂの出力が“Ｈ”から“Ｌ”に反転するために、この第２コンパレータ６ｂの出力をセット入力とするフリップフロップ回路７がセットされる。フリップフロップ回路７がセットされると、そのセット出力Ｑが発振回路８のゲート入力端Ｇに供給されるために、発振回路８はこのゲート入力の供給期間、つまりフリップフロップ回路７のセット期間に於いて第５図に示すパルス状の発振出力を出力端ＯＵＴからモータドライブアンプ４に供給する。
モータドライブアンプ４は、発振回路８から供給されるパルスを増幅して定格電圧の駆動信号として送りモータ５に供給するために、この送りモータは発振回路８の出力に対応して間欠駆動される
　フリップフロップ回路７のセット出力Ｑが断になると、その出力をゲート入力とする発振回路８の出力も断となるために、パルス駆動されていた送りモータ５の動作も停止される。
　この状態に於いて、ディジタル・オーディオディスクプレーヤの再生が進むと、トラッキングサーボ電圧ＴＳも第４図に時点ｔ２〜ｔ３で示すように徐々に低下する。そして、このトラッキングサーボ電圧ＴＳが第２基準電圧ＶＲ２に達すると、再びフリップフロップ回路７がセットされて発振回路８からパルスが発生されることになり、このパルスがモータドライブアンプ４を介して送りモータ５に供給されることになる。この結果、送りモータ５は、間欠駆動によって光ピックアップをトラッキングサーボ電圧ＴＳ（「ＴＣ」が「ＴＳ」の誤記であることは明らか。）が、第１基準電圧ＶＲ１に達するまで送り続けることになる。」（第２頁右下欄第５行〜第３頁右下欄第１２行）
　
　以上の記載を、第３〜５図を参照して整理すると、刊行物には、次のとおりの発明（以下、「刊行物発明」という。）が記載されているものと認める。　
　
「オーディオ信号等を光学的に高密度で記録したディスクを再生するディジタル・オーディオディスクプレーヤにおいて、
　トラッキングのずれを検出する複数個の受光素子と、
　各受光素子の出力差からトラッキングずれを検出するトラッキング検出部と、
　トラッキングずれ量に応じたトラッキングサーボ電圧でムービングコイルを駆動するトラッキング微調整系とを有する光学ピックアップと、
　光学ピックアップの送りを行なうピックアップ送りモータをトラッキング微調整系の調整範囲内で駆動するトラッキング粗調整系と
　を備えたディジタル・オーディオディスクプレーヤであって、
　トラッキング粗調整系は、
　光学ピックアップのムービングコイルを駆動するトラッキングサーボ電圧が、第１基準電圧を越えて上昇した時に出力を発生する第１コンパレータと、
　トラッキングサーボ電圧が第２基準電圧を越えて下降した時に出力を発生する第２コンパレータと、
　第２コンパレータの出力で発振を開始するとともに、第１コンパレータの出力で発振を停止するマルチバイブレータ等を用いた発振回路と、
　発振回路から供給されるパルスを増幅して定格電圧の駆動信号としてピックアップ送りモータに供給するモータドライブアンプとを備え、
　トラッキングサーボ電圧の大きさを監視することによってあらかじめ定めたムービングコイルによる微調整の制御限界に近ずいたことを検知し、ピックアップ送りモータの複数回の間欠駆動によって光学ピックアップの定量送りを行うディジタル・オーディオディスクプレーヤ。」
　
５．対比
　刊行物発明の「オーディオ信号等を光学的に高密度で記録したディスク」は、補正後発明の「光ディスク」に相当する。
　刊行物発明の「光学ピックアップ」は、補正後発明の「光ピックアップ」に相当する。
　刊行物発明には、明示的な特定がないが、光ディスクを再生する光学ピックアップにおいて、通常半導体レーザが用いられる「光源」と、「光源から出射された光ビームを集光して光スポットとして前記光ディスクに照射する対物レンズ」とを備えることは、自明又は技術常識にすぎない。
　刊行物発明の「ムービングコイルを駆動するトラッキング微調整系」は、補正後発明の「対物レンズをディスク半径方向へ移動駆動する対物レンズアクチュエータ」に相当し、したがって、刊行物発明の光学ピックアップが、補正後発明の「前記光源と前記対物レンズアクチュエータとを搭載した」ものである点でも一致する。
　刊行物発明の「トラッキング粗調整系」は、「送りモータ」と、「モータドライブアンプ」等の駆動回路を備えており、また、光学ピックアップの送りを行うために「送り機構」を備えることは自明であるから、補正後発明の「該光ピックアップをディスク半径方向へ移送する光ピックアップ送り機構と、該光ピックアップ送り機構を駆動する動力源と、該動力源の駆動回路と」を備えた「光ピックアップ移送駆動制御装置」である点で一致している。　
　
　刊行物発明において、「トラッキングサーボ電圧」は、「光学ピックアップのムービングコイルを駆動する」ものであるから、補正後発明の「対物レンズアクチュエータの駆動信号」に相当する。
　刊行物発明において、「ムービングコイルによる微調整」の際に、光源と対物レンズの光軸にずれが生じることは当然であって、「トラッキングサーボ電圧の大きさの監視」は、前記光軸のずれを検出することに他ならない。すると、刊行物発明において、「トラッキングサーボ電圧の大きさを監視することによって予め定めたムービングコイルによる微調整の制御限界に近づいたことを検出」することは、補正後発明が、「
光ディスクに対してトラッキングサーボがオンの状態で
　すると、刊行物発明が、
「トラッキングサーボ電圧が第２基準電圧を越えて下降した時に出力を発生する第２コンパレータと、
　第２コンパレータの出力で発振を開始するとともに、第１コンパレータの出力で発振を停止するマルチバイブレータ等を用いた発振回路と、
　発振回路から供給されるパルスを増幅して定格電圧の駆動信号としてピックアップ送りモータに供給するモータドライブアンプと」
を備える点は、補正後発明の、
「該光軸ずれ検出手段から得られた光軸ずれ量が」
「設定された閾値以上になった場合、前記駆動回路から一定電圧かつ一定幅の制御用パルス信号を発生させて、
前記光ピックアップ送り機構の移送を制動する制御手段とを備え」
との特定事項を備えることに相当する。
　
　以上のことからすると、両発明の一致点及び相違点は以下のとおりである。
［一致点］
「光ディスクに対して情報の記録／再生を行うため、光源から出射された光ビームを集光して光スポットとして前記光ディスクに照射する対物レンズと、該対物レンズをディスク半径方向へ移動駆動する対物レンズアクチュエータと、前記光源と前記対物レンズアクチュエータとを搭載した光ピックアップと、該光ピックアップをディスク半径方向へ移送する光ピックアップ送り機構と、該光ピックアップ送り機構を駆動する動力源と、該動力源の駆動回路とを備えた記録／再生装置の光ピックアップ移送駆動制御装置おいて、
　前記光ディスクに対してトラッキングサーボがオンの状態で前記光源から出射された光ビームの光軸と前記対物レンズの光軸とのずれ量を検出する光軸ずれ検出手段と、該光軸ずれ検出手段から得られた光軸ずれ量が設定された閾値以上になった場合、前記駆動回路から一定電圧かつ一定幅の制御用パルス信号を発生させて、前記光ピックアップ送り機構の移送を制動する制御手段とを備え、
　前記光軸ずれ検出手段により、前記対物レンズアクチュエータの駆動信号に基づいて光軸ずれ量を検出することを特徴とする記録／再生装置の光ピックアップ移送駆動制御装置。」
　
［相違点］
　閾値の設定について、補正後発明が、「制御用エラーの発生量に応じて」設定されたとしているのに対して、刊行物発明では、そのような特定がない点。
　
６．判断
　補正後発明が、「制御用エラーの発生量に応じて」設定するとしている点については、本願の明細書の発明の詳細な説明には、請求項の記載を引用している箇所以外には、そもそも「制御用エラー」との文言すらなく、閾値の設定の仕方についての実施例の記載もない。
　補正後発明が、光軸ずれ量を、「対物レンズアクチュエータの駆動信号」に基づいて検出している以上、閾値は、当然「対物レンズアクチュエータの駆動信号」について設定されるものであるから、前記「制御用エラー」が、前記対物レンズアクチュエータの駆動信号を指すものと解される場合には、閾値の設定についても当該駆動信号のレベルに基づいて設定されることは当業者が容易に想到しうることである。
　例えば、特開2000-20974号公報（以下、「周知例１」という。）には、
「【００５８】トラッキングエラー信号は、トラックの中心からの光ディスク２の径方向における対物レンズ３２のずれの大きさおよびその方向（トラックの中心からのずれ量）を示す信号である。
【００５９】トラッキングエラー信号（ＴＥ）は、トラッキングサーボ回路２２に入力される。
【００６０】トラッキングサーボ回路２２では、トラッキングエラー信号に対し、位相の反転や増幅等の所定の信号処理が行われ、これによりトラッキングサーボ信号（ＴＳ）（電圧）が生成される。
【００６１】このトラッキングサーボ信号は、対物レンズ３２がトラックの中心に移動するように（トラッキングエラー信号のレベルが０レベルとなるように）トラッキングアクチュエータ４１を駆動させるための信号（トラッキングアクチュエータの駆動電圧）である。
【００６２】また、このトラッキングサーボ信号のレベル、すなわち、電圧値は、基準位置からの径方向における対物レンズ３２のずれの大きさおよびその方向（対物レンズ３２の基準位置に対するずれ量）に対応している。」
「【００６６】スレッドサーボ回路２３では、トラッキングサーボ回路２２から入力されたトラッキングサーボ信号に対し、高周波成分の除去や増幅等の所定の信号処理が行われ、これによりスレッドサーボ信号（ＳＳ）（トラッキングアクチュエータの駆動電圧に対応する電圧）が生成される。
【００６７】このスレッドサーボ信号のレベル、すなわち、電圧値は、基準位置からの径方向における対物レンズ３２のずれの大きさおよびその方向（対物レンズ３２の基準位置に対するずれ量）に対応している。
【００６８】スレッドサーボ信号（ＳＳ）は、比較器（コンパレータ）２４に入力され、比較器２４で２値化される。この２値化信号（電圧）は、比較器２４から出力され、制御手段９に入力される。
【００６９】図３は、スレッドサーボ信号（電圧）、比較器２４からの信号（電圧）およびパルス発生回路９１からの信号（電圧）のタイミングチャートである。
【００７０】図３（ａ）および（ｂ）に示すように、比較器２４からの信号のレベルは、スレッドサーボ信号のレベル（電圧値）がスレショルドレベル（基準電圧値）以上の場合には、ハイレベル（Ｈ）になり、スレッドサーボ信号のレベル（電圧値）がスレショルドレベル（基準電圧値）未満の場合には、ローレベル（Ｌ）になる。
【００７１】この比較器２４のスレショルドレベル（基準電圧値）は、対物レンズ３２の基準位置に対するずれ量がしきい値に達したとき、スレッドサーボ信号のレベル（電圧値）とスレショルドレベル（基準電圧値）とが一致するように、予め設定されている。
【００７２】また、前記しきい値は、前記トラッキングアクチュエータ４１の基準位置からの移動限界値より小さい。
【００７３】この場合、比較器２４のスレショルドレベル（基準電圧値）は、対物レンズ３２の基準位置に対するずれ量が前記移動限界値のときのスレッドサーボ信号のレベル（電圧値）の９０％以下が好ましく、６０〜７０％程度がより好ましい。
【００７４】スレショルドレベルが前記上限以下の場合には、スレッド制御をより確実に行うことができる。」
などと、トラッキングサーボ信号又は、同信号から生成されるスレッドサーボ信号の閾値を設定することが記載されており、「制御用エラーの発生量に応じて」閾値を設定することは当然のことにすぎない。
　
　また、仮に「制御用エラーの発生量に応じて」が、【００５４】段落の「閾値は、例えば光ディスク１の情報トラックに対するトラッキングエラー信号量に基づいて設定され」との記載を根拠とするものであるとしても、発明の詳細な説明には、それ以上具体的に、どのように「トラッキングエラー信号量に基づいて」閾値が設定されるのか、特段の記載も、ましてや実施例の記載もないことからすると、閾値を「制御用エラーの発生量に応じて」設定する技術的意義は、単に光軸ずれの検出に用いられるレンズアクチュエータの駆動信号について閾値を定める際に、トラッキングエラー信号に関連して設定されるという程度の漠然とした特定にすぎないものである。
　すると、刊行物発明が送りモータを駆動するのに用いられる閾値であるトラッキングサーボ電圧は、トラッキングエラー信号に基づいて生成されることが自明で（前記周知例１にはこの点について記載がある。前掲【００６０】段落）、「第１，第２基準値ＶＲ１，ＶＲ２」の設定に際して、「光ピックアップの微調部に於ける制御限界内に於いて設定する必要があることは言うまでもない。」と、トラッキング制御の限界内で閾値を設定する旨の記載があるから、例えばトラッキングサーボオン状態で、トラッキングエラー信号が所定の大きさとなる場合に対応して制御信号（トラッキングサーボ電圧）のレベルを閾値として設定することで「制御用エラーの発生量に応じて」設定するものとする程度のことは、当業者が容易に想到しうることである。
　なお、例えば、原査定の拒絶の理由に引用された特開昭６１-３９９３９号公報（以下、「周知例２」という。）に、
「トラックエラー信号を予め設定された上限電圧及び加減電圧と比較し、トラックエラー信号が上限電圧以上になると、出力信号をゲート２９に送ってゲート２９を開く。したがって、発振器０３からのパルスがゲート２９を通り、モータドライバー３１はゲート２９からのパルスにより送りモータ１８を駆動してスライダー１７を光磁気ディスク７の外側方向へ移動させ、トラックエラー信号が小さくなる。」
と、送りモータを駆動する閾値を、直接トラックエラー信号に基づいたものとすることが記載されているから、同周知例２の記載を参照することによっても、「制御用エラーの発生量に応じて」閾値を設定することは当業者が容易に想到しうることである。
　
　そして、本願発明が奏する効果は、刊行物に記載された発明及び周知技術から、当業者が十分に予測できたものであって、格別なものとはいえない。
　
　以上のとおりであるから、結局、補正後発明は、刊行物に記載された発明に基づいて、当業者が容易に発明し得たものである。
　
　したがって、本件補正後の請求項１に係る発明については、特許法第29条第２項の規定により、特許出願の際独立して特許を受けることができないものである。
　
７．平成19年６月28日付け手続補正についての結び
　以上のとおりであるから、平成19年６月28日付け手続補正は、平成18年法律第55号改正附則第３条第１項により、なお従前の例によるとされる同法における改正前の特許法第17条の２第５項で準用する同法第126条第５項の規定に違反するので、特許法第159条第１項の規定において読み替えて準用する同法第53条第１項の規定により却下すべきものである。
　
　
III．　平成19年７月17日付け手続補正についての却下の決定
　
　〔補正却下の決定の結論〕
　平成19年７月17日付け手続補正を却下する。
　
　〔理　由〕
１．補正の内容及び目的
　平成19年７月17日付け手続補正（以下「本件補正２」という。）は、特許請求の範囲を補正しようとするものであるところ、本件補正２による前記特許請求の範囲の記載は、「II．　平成19年６月28日付け手続補正についての却下の決定」で検討した本件補正１による特許請求の範囲の記載と同一のものである。
　上記「ＩＩ．」で検討したとおり、平成19年６月28日付け手続補正は決定を以て却下されたので、本件補正２は、補正前の特許請求の範囲（平成19年２月２日付け手続補正による。「ＩＩ．１．（１）」に、補正前の特許請求の範囲として記載した。）の、請求項１〜４、１２〜３０を削除し、補正前の請求項５に限定を加えて新たな請求項１とし、補正前の請求項６〜１１を新たな請求項２〜７とするものと認められるから、本件補正平成18年法律第55号改正附則第３条第１項により、なお従前の例によるとされる同法における改正前の特許法第17条の２第４項第１号及び第２号に掲げる事項を目的とするものに該当する。
　前記「II．３．補正後発明〜６．判断」で検討したとおり、本件補正１による補正後発明が刊行物に記載された発明に基づいて、当業者が容易に発明することができたものであるから、記載上同一の本件補正２による特許請求の範囲の請求項１に記載された発明も、同様の理由により、刊行物に記載された発明に基づいて、当業者が容易に発明することができたものであって、特許法第29条第２項の規定により、特許出願の際独立して特許を受けることができないものである。
　
２．平成19年７月17日付け手続補正についての結び
　以上のとおりであるから、平成19年７月17日付け手続補正は、平成18年法律第55号改正附則第３条第１項によりなお従前の例によるとされる同法における改正前の特許法第17条の２第５項で準用する同法第126条第５項の規定に違反するので、特許法第159条第１項の規定において読み替えて準用する同法第53条第１項の規定により却下すべきものである。
　
　
IV．本願発明について
１．本願発明
　平成19年６月28日付け、及び、平成19年７月17日付けの各手続補正は、前記のとおり却下されたので、本願請求項１ないし３０に係る発明は、平成19年２月２日付けの手続補正で補正された明細書の特許請求の範囲の請求項１ないし３０に記載されたとおりものと認められるところ、請求項５に係る発明は（以下、「本願発明」という。）、前記「II．１．（１）」に補正前の【請求項５】として記載したとおりのものである。
　
２．刊行物及びその記載
　これに対して、原査定の拒絶の理由で引用された刊行物及びその記載は、前記「II．４．刊行物及びその記載」に記載したとおりである。
　
３．対比・判断
　本願発明は、前記「II．」で検討した補正後発明から、「光ディスク」を、「ディスク状記録媒体」と「光」による記録媒体であるとの限定を削除し、光軸ずれ検出手段の動作について、「
光ディスクに対してトラッキングサーボがオンの状態で
　すると、本願発明の特定事項を全て含み、さらに他の特定事項を付加したものに相当する補正後発明が、前記「II．」の「６．判断」で検討したとおり、刊行物に記載された発明に基づいて当業者が容易に発明をすることができたものであるから、本願発明も、同様の理由により、刊行物に記載された発明に基づいて、当業者が容易に発明をすることができたものである。
　
　
Ｖ．むすび
　以上のとおりであるから、本願の請求項５に係る発明については、特許法第29条第２項の規定により特許を受けることができない。
　したがって、本願は、その余の請求項について論及するまでもなく、拒絶すべきものである。
　よって、結論のとおり審決する。